【手続補正書】
【提出日】平成29年9月19日(2017.9.19)
【手続補正１】
【補正対象書類名】明細書
【補正対象項目名】００１０
【補正方法】変更
【補正の内容】
【００１０】
上記目的を達成するために、本発明の画像形成装置は、情報を表示する表示手段と、用紙に画像を形成する画像形成手段を使用する画像形成装置であって、前記画像形成装置を操作するオペレータを予め登録された第１のユーザとして識別し、前記画像形成装置の画像形成に用いられる印刷ジョブを指定可能な第１の画面を前記表示手段に表示させる第１の表示処理手段であって、前記第１の画面には、前記第１のユーザに関連づく印刷ジョブを一覧するための第１の一覧情報が配置される第１の表示処理手段と、前記画像形成装置を操作するオペレータを予め登録された第２のユーザとして識別し、前記画像形成装置の画像形成に用いられる印刷ジョブを指定可能な第２の画面を前記表示手段に表示させる第２の表示処理手段であって、前記第２の画面には、前記第２のユーザに関連づく印刷ジョブを一覧するための第２の一覧情報が配置される第２の表示処理手段と、前記第１のユーザに関連づく印刷ジョブを印刷後に前記第１の一覧情報から除くことを示す設定に基づき、印刷対象に指定された印刷ジョブを前記第１の一覧情報から除く工程を、前記指定された印刷ジョブの印刷に従って実行する第１の実行手段と、前記第２のユーザに関連づく印刷ジョブを印刷後に前記第２の一覧情報から除かないことを示す設定に基づき、印刷対象に指定された印刷ジョブを前記第２の一覧情報から除く工程を、前記指定された印刷ジョブの印刷に従って実行する第２の実行手段とを備えることを特徴とする。
【手続補正２】
【補正対象書類名】特許請求の範囲
【補正対象項目名】全文
【補正方法】変更
【補正の内容】
【特許請求の範囲】
【請求項１】
情報を表示する表示手段と、用紙に画像を形成する画像形成手段を使用する画像形成装置であって、
前記画像形成装置を操作するオペレータを予め登録された第１のユーザとして識別し、前記画像形成装置の画像形成に用いられる印刷ジョブを指定可能な第１の画面を前記表示手段に表示させる第１の表示処理手段であって、前記第１の画面には、前記第１のユーザに関連づく印刷ジョブを一覧するための第１の一覧情報が配置される第１の表示処理手段と、
前記画像形成装置を操作するオペレータを予め登録された第２のユーザとして識別し、前記画像形成装置の画像形成に用いられる印刷ジョブを指定可能な第２の画面を前記表示手段に表示させる第２の表示処理手段であって、前記第２の画面には、前記第２のユーザに関連づく印刷ジョブを一覧するための第２の一覧情報が配置される第２の表示処理手段と、
前記第１のユーザに関連づく印刷ジョブを印刷後に前記第１の一覧情報から除くことを示す設定に基づき、印刷対象に指定された印刷ジョブを前記第１の一覧情報から除く工程を、前記指定された印刷ジョブの印刷に従って実行する第１の実行手段と、
前記第２のユーザに関連づく印刷ジョブを印刷後に前記第２の一覧情報から除かないことを示す設定に基づき、印刷対象に指定された印刷ジョブを前記第２の一覧情報から除く工程を、前記指定された印刷ジョブの印刷に従って実行する第２の実行手段とを備えることを特徴とする画像形成装置。
【請求項２】
オペレータを認証する認証手段を更に備えることを特徴とする請求項１記載の画像形成装置。
【請求項３】
前記認証ユニットは、前記オペレータにユーザ名及びパスワードの入力を要求することを特徴とする請求項２記載の画像形成装置。
【請求項４】
前記画像形成装置を操作するオペレータを予め登録された前記第１のユーザとして識別し、前記第１のユーザに関連づく印刷ジョブを印刷後に前記第１の一覧情報から除くか否かを設定可能な画面を前記表示手段に表示させる第３の表示処理手段と、
前記画像形成装置を操作するオペレータを予め登録された前記第２のユーザとして識別し、前記第２のユーザに関連づく印刷ジョブを印刷後に前記第２の一覧情報から除くか否かを設定可能な画面を前記表示手段に表示させる第４の表示処理手段を更に備えることを特徴とする請求項１乃至３のいずれか１項に記載の画像形成装置。
【請求項５】
前記第１の画面には、前記第１のユーザに関連づく印刷ジョブを印刷後に前記第１の一覧情報から除くことを示す前記設定を行うための第１の選択オブジェクトが配置され、
前記第２の画面には、前記第２のユーザに関連づく印刷ジョブを印刷後に前記第２の一覧情報から除くことを示す設定を行うための第２の選択オブジェクトが配置されていることを特徴とする請求項１乃至４のいずれか１項に記載の画像形成装置。
【請求項６】
前記第１の選択オブジェクト及び前記第２の選択オブジェクトはチェックボックスであることを特徴とする請求項５記載の画像形成装置。
【請求項７】
外部装置から印刷データを受信し、オペレータが印刷指示可能な印刷ジョブとして登録する登録手段を更に備えることを特徴とする請求項１乃至６のいずれか１項に記載の画像形成装置。
【請求項８】
前記画像形成装置を操作するオペレータを予め登録された前記第１のユーザとして識別し、前記画像形成装置の画像形成に用いられる印刷ジョブを指定可能な第３の画面を前記表示手段に表示させる第５の表示処理手段を更に備え、
前記第３の画面には、前記第１のユーザが所属するグループに関連づく印刷ジョブを一覧するための第３の一覧情報が配置されることを特徴とする請求項１乃至７のいずれか１項画像形成装置。
【請求項９】
前記第５の表示処理手段は、前記第１のユーザが所属する前記グループに関連づく印刷ジョブを印刷後に前記第３の一覧情報から除くことを示す設定ができないように、前記第３の画面を前記表示手段に表示させる請求項８記載の画像形成装置。
【請求項１０】
情報を表示する表示手段と、用紙に画像を形成する画像形成手段を使用する画像形成装置の制御方法において、
前記画像形成装置を操作するオペレータを予め登録された第１のユーザとして識別し、前記画像形成装置の画像形成に用いられる印刷ジョブを指定可能な第１の画面を前記表示手段に表示させる第１の表示処理ステップであって、前記第１の画面には、前記第１のユーザに関連づく印刷ジョブを一覧するための第１の一覧情報が配置される第１の表示処理ステップと、
前記画像形成装置を操作するオペレータを予め登録された第２のユーザとして識別し、前記画像形成装置の画像形成に用いられる印刷ジョブを指定可能な第２の画面を前記表示手段に表示させる第２の表示処理ステップであって、前記第２の画面には、前記第２のユーザに関連づく印刷ジョブを一覧するための第２の一覧情報が配置される第２の表示処理ステップと、
前記第１のユーザに関連づく印刷ジョブを印刷後に前記第１の一覧情報から除くことを示す設定に基づき、印刷対象に指定された印刷ジョブを前記第１の一覧情報から除く工程を、前記指定された印刷ジョブの印刷に従って実行する第１の実行ステップと、
前記第２のユーザに関連づく印刷ジョブを印刷後に前記第２の一覧情報から除かないことを示す設定に基づき、印刷対象に指定された印刷ジョブを前記第２の一覧情報から除く工程を、前記指定された印刷ジョブの印刷に従って実行する第２の実行ステップとを備えることを特徴とする画像形成装置の制御方法。
【請求項１１】
情報を表示する表示手段と、用紙に画像を形成する画像形成手段を使用する画像形成装置の制御方法をコンピュータに実行させるプログラムであって、
前記画像形成装置の制御方法は、
前記画像形成装置を操作するオペレータを予め登録された第１のユーザとして識別し、前記画像形成装置の画像形成に用いられる印刷ジョブを指定可能な第１の画面を前記表示手段に表示させる第１の表示処理ステップであって、前記第１の画面には、前記第１のユーザに関連づく印刷ジョブを一覧するための第１の一覧情報が配置される第１の表示処理ステップと、
前記画像形成装置を操作するオペレータを予め登録された第２のユーザとして識別し、前記画像形成装置の画像形成に用いられる印刷ジョブを指定可能な第２の画面を前記表示手段に表示させる第２の表示処理ステップであって、前記第２の画面には、前記第２のユーザに関連づく印刷ジョブを一覧するための第２の一覧情報が配置される第２の表示処理ステップと、
前記第１のユーザに関連づく印刷ジョブを印刷後に前記第１の一覧情報から除くことを示す設定に基づき、印刷対象に指定された印刷ジョブを前記第１の一覧情報から除く工程を、前記指定された印刷ジョブの印刷に従って実行する第１の実行ステップと、
前記第２のユーザに関連づく印刷ジョブを印刷後に前記第２の一覧情報から除かないことを示す設定に基づき、印刷対象に指定された印刷ジョブを前記第２の一覧情報から除く工程を、前記指定された印刷ジョブの印刷に従って実行する第２の実行ステップとを備えることを特徴とするプログラム。
【請求項１２】
印刷データを格納可能な記憶手段と、情報を表示する表示手段と、用紙に画像を形成する画像形成手段を使用する画像形成装置であって、
前記画像形成装置を操作するオペレータを予め登録された第１のユーザとして識別し、前記画像形成装置の画像形成に用いられる印刷データを指定可能な第１の画面を前記表示手段に表示させる第１の表示処理手段であって、前記第１の画面には、前記記憶手段に格納された印刷データのうち前記第１のユーザに関連づく印刷データの情報の第１の一覧が配置される第１の表示処理手段と、
前記画像形成装置を操作するオペレータを予め登録された第２のユーザとして識別し、前記画像形成装置の画像形成に用いられる印刷データを指定可能な第２の画面を前記表示手段に表示させる第２の表示処理手段であって、前記第２の画面には、前記記憶手段に格納された印刷データのうち前記第２のユーザに関連づく印刷データの情報の第２の一覧が配置され第２の表示処理手段と、
前記第１のユーザに関連づく印刷データを印刷後の特定のタイミングで削除することを示す設定に基づき、前記第１のユーザに関連づき且つ印刷対象に指定された印刷データを前記記憶手段から削除する工程を、前記指定された印刷データを印刷後の前記特定のタイミングで実行する第１の実行手段と、
前記第２のユーザに関連づく印刷データを印刷後の特定のタイミングで削除しないことを示す設定に基づき、前記第２のユーザに関連づき且つ印刷対象に指定された印刷データを前記記憶手段から削除する工程を、前記指定された印刷データを印刷後の前記特定のタイミングで実行しない第２の実行手段とを備えることを特徴とする画像形成装置。
【請求項１３】
オペレータを認証する認証手段を更に備えることを特徴とする請求項１２記載の画像形成装置。
【請求項１４】
前記認証ユニットは、前記オペレータにユーザ名及びパスワードの入力を要求することを特徴とする請求項１３記載の画像形成装置。
【請求項１５】
前記画像形成装置を操作するオペレータを予め登録された前記第１のユーザとして識別し、前記第１のユーザに関連づく印刷データを印刷後の前記特定のタイミングで削除するか否かを設定可能な画面を前記表示手段に表示させる第３の表示処理手段と、
前記画像形成装置を操作するオペレータを予め登録された前記第２のユーザとして識別し、前記第２のユーザに関連づく印刷データを印刷後の前記特定のタイミングで削除するか否かを設定可能な画面を前記表示手段に表示させる第４の表示処理手段を更に備えることを特徴とする請求項１２乃至１４のいずれか１項に記載の画像形成装置。
【請求項１６】
前記第１の画面には、前記第１のユーザに関連づく印刷データを印刷後の前記所定のタイミングで削除することを示す前記設定を行うための第１の選択オブジェクトが配置され、
前記第２の画面には、前記第２のユーザに関連づく印刷データを印刷後の前記所定のタイミングで削除することを示す設定を行うための第２の選択オブジェクトが配置されていることを特徴とする請求項１２乃至１５のいずれか１項に記載の画像形成装置。
【請求項１７】
前記第１の選択オブジェクト及び前記第２の選択オブジェクトはチェックボックスであることを特徴とする請求項１６のいずれか１項に記載の画像形成装置。
【請求項１８】
外部装置から印刷データを受信し、オペレータが印刷指示可能な印刷データとして登録する登録手段を更に備えることを特徴とする請求項１２乃至１７のいずれか１項に記載の画像形成装置。
【請求項１９】
前記画像形成装置を操作するオペレータを予め登録された前記第１のユーザとして識別し、前記画像形成装置の画像形成に用いられる印刷データを指定可能な第３の画面を前記表示手段に表示させる第５の表示処理手段を更に備え、
前記第３の画面には、前記第１のユーザが所属するグループに関連づく印刷データの情報の第３の一覧が配置されることを特徴とする請求項１２乃至１８のいずれか１項画像形成装置。
【請求項２０】
前記第５の表示処理手段は、前記第１のユーザが所属する前記グループに関連づく印刷データを印刷後に前記第３の一覧から削除する設定ができないように、前記第３の画面を前記表示手段に表示させる請求項１９記載の画像形成装置。
【請求項２１】
印刷データを格納可能な記憶手段と、情報を表示する表示手段と、用紙に画像を形成する画像形成手段を使用する画像形成装置の制御方法において、
前記画像形成装置を操作するオペレータを予め登録された第１のユーザとして識別し、前記画像形成装置の画像形成に用いられる印刷データを指定可能な第１の画面を前記表示手段に表示させる第１の表示処理ステップであって、前記第１の画面には、前記記憶手段に格納された印刷データのうち前記第１のユーザに関連づく印刷データの情報の第１の一覧が配置される第１の表示処理ステップと、
前記画像形成装置を操作するオペレータを予め登録された第２のユーザとして識別し、前記画像形成装置の画像形成に用いられる印刷データを指定可能な第２の画面を前記表示手段に表示させる第２の表示処理ステップであって、前記第２の画面には、前記記憶手段に格納された印刷データのうち前記第２のユーザに関連づく印刷データの情報の第２の一覧が配置される第２の表示処理ステップと、
前記第１のユーザに関連づく印刷データを印刷後の特定のタイミングで削除することを示す設定に基づき、前記第１のユーザに関連づき且つ印刷対象に指定された印刷データを前記記憶手段から削除する工程を、前記指定された印刷データを印刷後の前記特定のタイミングで実行する第１の実行ステップと、
前記第２のユーザに関連づく印刷データを印刷後の特定のタイミングで削除しないことを示す設定に基づき、前記第２のユーザに関連づき且つ印刷対象に指定された印刷データを前記記憶手段から削除する工程を、前記指定された印刷データを印刷後の前記特定のタイミングで実行しない第２の実行ステップとを備えることを特徴とする画像形成装置の制御方法。
【請求項２２】
印刷データを格納可能な記憶手段と、情報を表示する表示手段と、用紙に画像を形成する画像形成手段を使用する画像形成装置の制御方法をコンピュータに実行させるプログラムであって、
前記画像形成装置の制御方法は、
前記画像形成装置を操作するオペレータを予め登録された第１のユーザとして識別し、前記画像形成装置の画像形成に用いられる印刷データを指定可能な第１の画面を前記表示手段に表示させる第１の表示処理ステップであって、前記第１の画面には、前記記憶手段に格納された印刷データのうち前記第１のユーザに関連づく印刷データの情報の第１の一覧が配置される第１の表示処理ステップと、
前記画像形成装置を操作するオペレータを予め登録された第２のユーザとして識別し、前記画像形成装置の画像形成に用いられる印刷データを指定可能な第２の画面を前記表示手段に表示させる第２の表示処理ステップであって、前記第２の画面には、前記記憶手段に格納された印刷データのうち前記第２のユーザに関連づく印刷データの情報の第２の一覧が配置される第２の表示処理ステップと、
前記第１のユーザに関連づく印刷データを印刷後の特定のタイミングで削除することを示す設定に基づき、前記第１のユーザに関連づき且つ印刷対象に指定された印刷データを前記記憶手段から削除する工程を、前記指定された印刷データを印刷後の前記特定のタイミングで実行する第１の実行ステップと、
前記第２のユーザに関連づく印刷データを印刷後の特定のタイミングで削除しないことを示す設定に基づき、前記第２のユーザに関連づき且つ印刷対象に指定された印刷データを前記記憶手段から削除する工程を、前記指定された印刷データを印刷後の前記特定のタイミングで実行しない第２の実行ステップとを備えることを特徴とするプログラム。